(57)【要約】      （修正有）【課題】波長変換層を備える太陽電池および太陽電池モジュールにおいて、波長変換層と他の層との界面における散乱を低減することにより、より高い変換効率を実現する。【解決手段】透光性基板２と光電変換素子４との間に設けられた波長変換層３において、波長変換層３の少なくともいずれか一方の主面に、微細な凸凹からなる二次元周期構造を設け、該二次元周期構造のピッチを、３００〜３０００ｎｍの範囲とする。【選択図】図１
2014123662.tif 000002
【特許請求の範囲】
【請求項１】
透光性基板と光電変換素子との間に波長変換層を備える太陽電池であって、
該波長変換層の少なくともいずれか一方の主面が、微細な凸凹からなる二次元周期構造を有するとともに、
該二次元周期構造のピッチが、３００〜３０００ｎｍの範囲であることを特徴とする太陽電池。
【請求項２】
前記波長変換層の前記主面が、いずれも３００〜３０００ｎｍのピッチを有する前記二次元周期構造を備え、
前記主面のうち前記透光性基板側に面する第１の主面における前記二次元周期構造の前記ピッチと、前記光電変換素子側に面する第２の主面における前記二次元周期構造の前記ピッチとが、互いに異なることを特徴とする請求項１に記載の太陽電池。
【請求項３】
前記第２の主面における前記二次元周期構造の前記ピッチが、前記第１の主面における前記二次元周期構造の前記ピッチよりも大きいことを特徴とする請求項２に記載の太陽電池。
【請求項４】
前記波長変換層が、紫外光領域の波長を有する光を、前記光電変換素子が電気エネルギーに変換可能な波長の光に変換する紫外光変換機能を有することを特徴とする請求項１乃至３のいずれかに記載の太陽電池。
【請求項５】
前記第１の主面における前記二次元周期構造の前記ピッチが、
前記波長変換層が変換可能な前記紫外光領域の波長よりも小さいことを特徴とする請求項４に記載の太陽電池。
【請求項６】
前記波長変換層が、赤外光領域の波長を有する光を、前記光電変換素子が電気エネルギーに変換可能な波長の光に変換する赤外光変換機能を有することを特徴とする請求項１乃至３のいずれかに記載の太陽電池。
【請求項７】
前記第１の主面における前記二次元周期構造の前記ピッチが、
前記光電変換素子が電気エネルギーに変換可能な波長よりも小さいことを特徴とする請求項６に記載の太陽電池。
【請求項８】
前記第１の主面における前記二次元周期構造の前記ピッチが、
紫外光領域の波長よりも大きいことを特徴とする請求項６または７に記載の太陽電池。
【請求項９】
前記第２の主面における前記二次元周期構造の前記ピッチが、紫外光領域の波長の上限近傍または前記光電変換素子が電気エネルギーに変換可能な波長の下限近傍であることを特徴とする請求項１乃至８のいずれかに記載の太陽電池。
【請求項１０】
請求項１乃至９のいずれかに記載の太陽電池の複数個を、配線を介して電気的に接続してなることを特徴とする太陽電池モジュール。
【発明の詳細な説明】
【技術分野】
【０００１】
本発明は、波長変換層を備えた太陽電池に関するものである。
【背景技術】
【０００２】
太陽電池は、太陽の光を直接電気エネルギーに変換できるという特徴から、クリーン且つ無尽蔵なエネルギーの利用手段として注目されており、火力発電や原子力発電に代わる新しい電力源として、ますます期待が高まっている。
【０００３】
図４は、従来から知られている太陽電池の一例を示す断面模式図である。太陽電池は、太陽光１０１が入射する受光面側から、透光性基板１０２、受光面側封止層１０３、光電変換素子１０４、裏面側封止層１０５、カバー層１０７がこの順に積層された構成となっており、光電変換素子１０４は受光面側電極および裏面側電極（図示せず）を備えている。
【０００４】
太陽電池の性能は、一般に、太陽電池に入射した光（太陽光）が電気に変換された割合である変換効率で表される。変換される光のエネルギーは、太陽電池内部の光電変換素子１０４に吸収された光のエネルギーであり、変換効率は、太陽光に含まれる光の波長領域に対する、光電変換素子が効率よく吸収できる光の波長領域の割合に大きく依存し、光電変換素子１０４に用いられる半導体材料の種類によって大きく異なってくる。
【０００５】
太陽電池用の光電変換素子１０４には、主としてシリコンおよび化合物半導体が単結晶および多結晶を含む結晶質やアモルファス（非晶質）の形で用いられているが、いずれも変換効率が低く、発電コストが高いことが課題となっている。
【０００６】
これは、光電変換素子１０４が吸収して電気エネルギーに変換可能な光が、光電変換素子１０４の材料の物性であるバンドギャップにより決定される限られた波長領域の光のみであることに起因する。
【０００７】
太陽光は、紫外光、可視光および赤外光を含む幅広い波長領域を有するが、各種半導体材料からなる光電変換素子１０４が吸収して電気エネルギーに変換可能な光は、３５０〜１２００ｎｍの波長領域の光のみであり、それ以外の波長領域の光は、ほとんど発電に寄与しないことが知られている。
【０００８】
上記の問題に対して、太陽電池を構成する透光性基板１０２や封止層１０３、１０５に、入射光を吸収して入射光とは異なる波長の光を放出する蛍光体材料等を塗布または含有させ、波長変換機能を持たせた構成とすることによって、太陽光中のうち光電変換素子１０４が吸収できない波長領域（非有効波長領域）の光を光電変換素子１０４が吸収可能な波長領域（有効波長領域）の光に変換して光の利用効率を高め、太陽電池の変換効率を向上させる試みが行われている。（たとえば、特許文献１、２を参照）
【先行技術文献】
【特許文献】
【０００９】
【特許文献１】国際公開第２０１１／１５５６１４号公報
【特許文献２】特開２０１２−１２９３９１号公報
【特許文献３】特開２０１０−２１９４９５号公報
【発明の概要】
【発明が解決しようとする課題】
【００１０】
しかしながら、特許文献１および２に記載された波長変換機能を備える太陽電池では、太陽電池に入射した太陽光は、太陽電池を構成する各層の界面や、波長変換機能を有する層（以下、波長変換層という）に含まれる蛍光体粒子によりその一部が散乱される。このような散乱現象は、波長変換層で有効波長領域に波長変換された光についても同様に発生し、散乱された光は、光電変換素子に到達できない可能性が高いため、光の利用効率が低下し、変換効率が低くなるという問題があった。
【００１１】
本発明は、これらの太陽電池を構成する各層のうち、少なくとも波長変換層と他の層との界面における散乱を低減することにより、より高い変換効率の太陽電池および太陽電池モジュールを提供することを目的とする。
【課題を解決するための手段】
【００１２】
本発明の太陽電池は、透光性基板と光電変換素子との間に波長変換層を備える太陽電池であって、該波長変換層の少なくともいずれか一方の主面が、微細な凸凹からなる二次元周期構造を有するとともに、該二次元周期構造のピッチが、３００〜３０００ｎｍの範囲であることを特徴とする。
【００１３】
本発明の太陽電池モジュールは、上述の太陽電池の複数個を、配線を介して電気的に接続してなることを特徴とする。
【発明の効果】
【００１４】
本発明によれば、より高い変換効率の太陽電池および太陽電池モジュールを提供できる。
【図面の簡単な説明】
【００１５】
【図１】本発明の一実施形態である太陽電池の積層状態を示す概略断面図である。
【図２】（ａ）二次元周期構造の一例を模式的に示す斜視図、（ｂ）（ａ）のＡ−Ａ’断面図および（ｃ）二次元周期構造の別の例の断面模式図である。
【図３】本発明の一実施形態である太陽電池モジュールの（ａ）概略断面図、および（ｂ）透光性基板側からみた平面図である。
【図４】従来の太陽電池の積層状態を示す概略断面図である。
【発明を実施するための形態】
【００１６】
本発明の一実施形態である太陽電池について、図１を基に説明する。本実施形態の太陽電池は、透光性基板２、波長変換層３、光電変換素子４、封止層５、反射層６およびカバー層７が順に積層されたものである。なお、光電変換素子４の両主面には電極（図示せず）が設けられている。
【００１７】
このような太陽電池において、透光性基板２側から入射した太陽光１のうち、光電変換素子４が吸収して電気エネルギーに変換可能な波長領域、すなわち有効波長領域の光は、波長変換層３を通過して直接光電変換素子４に入射し、電気エネルギーに変換される。その際、電気エネルギーに変換されずに光電変換素子４を通過した有効波長領域の光は、反射層６で反射され、再度光電変換素子４に入射することで電気エネルギーに変換される。
【００１８】
光電変換素子４は、光起電力を有する基材の両主面に電極を設けたものである。基材は例えば０．３〜０．４ｍｍの板状であることが好ましいが、例えば球状型や薄膜型などの形態をとっても構わない。基材には、単結晶シリコンや多結晶シリコン、アモルファスシリコン等のシリコン系材料のほか、ＣＩＧＳ化合物系、ＣｄＴｅ化合物、有機系、色素増感型材料等のいずれを用いてもよい。
【００１９】
太陽光は、３００〜３０００ｎｍの領域の様々な波長を有する光で構成され、その波長により、可視光領域（下界が３６０〜４００ｎｍ、上界が７６０〜８３０ｎｍの範囲）を中心に、その下界よりも短い波長の近紫外光領域、その上界よりも長い波長の近赤外領域、および赤外光領域に分類される。
【００２０】
光電変換素子４の変換効率の高い波長領域、すなわち有効波長領域は、例えば単結晶および多結晶シリコン太陽電池では４００〜１１００ｎｍ、ＣＩＧＳ化合物系およびＣｄＴｅ化合物系太陽電池では４００〜１２００ｎｍ、アモルファスシリコン、有機系、および色素増感型太陽電池では３５０〜７５０ｎｍであることが知られており、その大半は可視光領域と重複している。
【００２１】
このような太陽光に含まれる有効波長領域以外の光、すなわち非有効波長領域の光のうち、波長変換層３で波長変換可能な光は、波長変換層３において有効波長領域の光に変換され、放出された後、光電変換素子４に入射して電気エネルギーに変換される。
【００２２】
波長変換層３には、蛍光体材料等の波長変換材料が含まれている。波長変換材料は、紫外光変換型と赤外光変換型の２種に大別される。紫外光変換型とは、非有効波長領域の光のうち、紫外光領域の光の吸収により励起されて、吸収した光の波長よりも長い波長、すなわち光電変換効率の高い可視光領域の波長の光を発するものであり、一般的に用いられる蛍光、蓄光物質を採用できる。具体的にはインドシアニングリーン、ローダミン等の有機物や、中心金属として希土類金属、配位子として芳香環類似の共役系部位を有する配位子を有する有機金属錯体、各種希土類をドープした酸化物や複合酸化物などの無機物が挙げられる。
【００２３】
赤外光変換型とは、非有効波長領域の光のうち、赤外光領域の光子を複数、同時あるいは逐次的に吸収し、ある電子状態から多段階励起を経て上方の準位から発光することで、吸収した光の波長よりも短い波長、すなわち光電変換効率の高い可視光領域の波長の光を放出するものであり、希土類ドープ結晶やガラス等の材料、たとえばＬｉＫＹＦ５：Ｐｒ３＋やＹ２Ｏ３：Ｐｒ３＋などが知られている。
【００２４】
なお、これらの波長変換材料の形態は特に限定するものではなく、粒子状、マトリックス状、フィルム状等の種々の形態として使用できる。特に粒子状の場合は、波長変換材料との屈折率の差が小さい透明な樹脂と混合して使用されることが多く、光透過性および波長変換特性に優れるという点で、ナノ粒子を用いることが好ましい。
【００２５】
本発明においては、波長変換層３の少なくともいずれか一方の主面が、図２（ａ）〜（ｃ）に例示するような微細な凹凸からなる二次元周期構造を有していることが重要である。なお、本発明における微細な凹凸からなる二次元周期構造とは、材料表面に３００〜３０００ｎｍの範囲のピッチ（ｐ）を有する突起や窪みなどの凹凸が形成されたものである。このように入射光の波長よりも短い周期構造は、モスアイ構造（蛾の目構造）とも呼ばれ、その大きさや形態、製法などについて種々の報告がなされている（例えば特許文献３を参照）。
【００２６】
図２（ａ）〜（ｃ）に例示するような微細な凹凸からなる二次元周期構造は、光がその二次元周期構造を有する界面を通過する際、二次元周期構造のピッチ（ｐ）よりも長い波長の光の散乱を低減する効果を持つ。これは、媒質Ａ側から媒質Ｂ側に入射する光に対して、媒質Ａと媒質Ｂとの中間の屈折率を持つ物質が媒質Ａと媒質Ｂとの間に存在するのと同様の効果を及ぼして、反射率が低下するためである（図２（ａ）を参照）。さらに、図２（ａ）および（ｂ）における矩形の凸部８を、図２（ｃ）に示すような先端に行くほど
幅ｗが小さくなるような錐形（円錐、四角錐、多角錐など）にすることによって、媒質Ａと媒質とＢの間で屈折率が緩やかに変化するようになり、反射率がさらに低下することが知られている。なお、錐形とした場合の先端の形状は、尖っていてもよいし、丸められたものであってもよい。
【００２７】
このような微細な凹凸からなる二次元周期構造を、波長変換層３の少なくともいずれか一方の主面に、３００〜３０００ｎｍのピッチ（ｐ）、すなわち太陽光の波長領域と同程度のピッチ（ｐ）で形成することにより、太陽電池に入射した太陽光１の波長変換層３表面における散乱を低減し、光電変換素子４に入射する光量を増大することができ、太陽光の利用効率を向上することができる。なお、微細な凹凸の形状は、例えば椀状（ドーム状）や円錐状、角錐状の突起や窪み、波型状等、種々の形状があるが、そのピッチ（ｐ）や凹凸の高低差（ｈ）が太陽光の波長領域と同等な３００〜３０００ｎｍの範囲であれば特に制限するものではない。微細な凹凸のピッチ（ｐ）と高低差（ｈ）の比率（ｈ／ｐ）については、ｈ／ｐを０．２〜５の範囲とすることで、充分な散乱抑制効果が得られるとともに、凹凸の形成工程や太陽電池の組み立て工程等における凹凸の変形や破損の発生を抑えることができ、好ましい。なお、本願の各断面図は模式的なものであり、凹凸の大きさや各層の厚さは実際の寸法関係を反映したものではない。
【００２８】
さらに、波長変換層３の主面がいずれも微細な凹凸からなる二次元周期構造（以下、単に二次元周期構造ともいう）を有し、第１の主面、すなわち透光性基板側の主面における二次元周期構造のピッチ（ｐ１）と、第２の主面、すなわち光電変換素子側の主面における二次元周期構造のピッチ（ｐ２）とを、互いに異なるものとすることにより、光電変換素子４に入射する光の波長と量を制御することができる。
【００２９】
特に、第２の主面における周期構造のピッチ（ｐ２）を、第１の主面における周期構造のピッチ（ｐ１）より大きくすることにより、波長変換層３には広い波長領域の光が入射するとともに、波長変換層３に入射した光のうち、波長が短い光（波長変換層３の第２の主面のピッチよりも短い波長の光）は、波長変換層３の第２の主面において一部散乱されるため、光電変換素子４への第２の主面のピッチ（ｐ２）よりも短い波長の光の入射量が低減する。また、波長変換層３の第２の主面のピッチ（ｐ２）よりも長い波長の光は、波長変換層３の第２の主面における散乱が抑制されるため、光電変換素子４への入射量が増大し、光の利用効率が高くなる。
【００３０】
本実施形態において、波長変換層３は紫外光変換型および赤外光変換型のいずれでもよいが、紫外光変換型の場合には、第１の主面すなわち透光性基板側の主面における二次元周期構造のピッチ（ｐ１）を、この波長変換層３が波長変換可能な波長領域よりも小さくすることが好ましい。これにより、波長変換層３で波長変換可能な波長領域の紫外光、および光電変換素子４が吸収して電気エネルギーに変換可能な波長領域の光の散乱を抑制して、波長変換効率を高めることができる。
【００３１】
また、波長変換層３が赤外光変換型の場合には、第１の主面における二次元周期構造のピッチ（ｐ１）を、光電変換素子４の有効波長領域よりも小さくすることが好ましい。これにより、光電変換素子４が吸収して電気エネルギーに変換可能な光、および波長変換層３で波長変換可能な赤外光の散乱を抑制して、光の利用効率を高めることができるとともに、波長変換層３における波長変換および光電変換素子４における光電変換のいずれもできない紫外光を散乱させて、太陽電池に入射する量を低減することができる。例えば、光電変換素子４を、有効波長領域が４００〜１１００ｎｍの結晶質シリコン製とした場合には、第１の主面における二次元周期構造のピッチ（ｐ１）を、結晶質シリコン製の光電変換素子の有効波長領域の下限である４００ｎｍよりも小さくすればよい。
【００３２】
なお、第１の主面における二次元周期構造のピッチ（ｐ１）を、さらに紫外光領域の波長よりも大きくすることで、波長変換できない波長領域であるとともに、太陽電池の構成要素を劣化させる原因となる紫外光を散乱させて、太陽電池に紫外光が入射する量を低減できる。
【００３３】
また、紫外光変換型、赤外光変換型いずれの波長変換層３においても、第２の主面すなわち光電変換素子側の主面における二次元周期構造のピッチ（ｐ２）を、紫外光領域の波長の上限近傍または光電変換素子４が吸収して電気エネルギーに変換可能な波長の下限近傍とすることが好ましい。これにより、光電変換素子４に入射し、電気エネルギーに変換されずに光電変換素子４を通過する紫外光が、第２の主面において散乱されることにより低減され、太陽電池を構成する材料の紫外光による劣化を抑制することができる。
【００３４】
なお、光電変換素子４と反射層６との間に、さらに波長変換層３’を配置してもよく、波長変換層３’の主面についても微細な凸凹からなる二次元周期構造を設けることにより、反射層６で反射された反射光の利用効率をさらに高めることができる。この波長変換層３’は、封止層５に所望の波長変換機能を有する蛍光体粒子を分散したものであってもよい。
【００３５】
波長変換層３表面にこのような微細な凸凹からなる二次元周期構造を形成するには、ＣＶＤ法、スパッタ法、エッチング法、研磨法等の公知の方法を利用すればよい。
【００３６】
透光性基板２は、波長変換層３や光電変換素子４等の太陽電池を構成する各要素を保護するものであり、耐候性や機械的強度の点から、ガラス製やポリカーボネート等の樹脂製であることが好ましく、その厚さは３〜５ｍｍ程度とすることが好ましい。
【００３７】
光電変換素子４の両主面に設ける電極は、導電性を有する材料で構成されており、Ａｇ、Ｎｉ、Ｃｕ、Ａｌ等の金属材料や半田等の合金材料、カーボン材料、酸化インジウム錫（ＩＴＯ）などの導電性酸化物材料、およびこれらをフィラーとして含む導電性樹脂材料等から適宜選択することができる。
【００３８】
なお、光電変換素子４に用いる電極は、太陽光１や波長変換層３で有効波長領域に変換された光、反射層６で反射された反射光などの、光電変換素子４への入射を妨げないように、少なくとも有効波長領域の光に対して透光性を有する材料を使用することが好ましい。また、透光性が低い材料の場合も、光電変換素子４の表面を部分的に被覆する形状、例えばメッシュ状等とすることで適用可能である。
【００３９】
封止層５には、たとえばエチレン−酢酸ビニル共重合体を主成分とする樹脂が用いられ、光電変換素子４への接着性、耐久性および加工性の点で、ポリビニルブチラール（ＰＶＢ）やシリコーンなどが１０質量％以下の割合で含まれていてもよい。また、波長変換層３および封止層５の厚さは合計で０．４〜１ｍｍ程度がよい。
【００４０】
反射層６は、光電変換素子４において吸収されることなく通過した光を反射して、再度光電変換素子４に入射させることが可能であればよく、特に材質や形態を限定するものではない。封止層５の表面や、波長変換層３’を設ける場合にはその光電変換素子４側と反対側の主面に、例えばＤＣスパッタリング法等によりアルミニウムやチタン等の金属層を形成することで、反射層６としてもよい。
【００４１】
カバー層７には、水分を透過しないようにアルミ箔を挟持した耐候性を有するフッ素系樹脂シートや、アルミナまたはシリカを蒸着したポリエチレンテレフタレート（ＰＥＴ）シートなどが好適に用いられる。
【００４２】
図３（ａ）は、本発明の一実施形態である太陽電池モジュールについて示した概略断面図であり、太陽光１が入射する受光面側から、板状の透光性基板２、波長変換層３、複数の光電変換素子４、封止層５、反射層６およびカバー層７がこの順に積層され、一方の光電変換素子４の受光面である透光性基板２側の電極（図示せず）と他方の光電変換素子４の反射層６側の電極（図示せず）とがインターコネクタ９によって接続された構成となっている。なお、図３（ｂ）の受光面側である透光性基板２側からみた平面図では、複数の光電変換素子４およびインターコネクタ９のみを示している。本実施形態では複数の光電変換素子４に対し、その透光性基板２側に一枚の波長変換層３を備えているが、複数の光電変換素子４の透光性基板２側にそれぞれ個別に波長変換層３を設けることもできる。インターコネクタ９には、ハンダを被覆した銅箔等が好適に用いられる。
【００４３】
本実施形態の太陽電池の製造方法について、図１を基に説明する。波長変換層３には、エチレン−酢酸ビニル共重合体を主成分とする樹脂粉末と、紫外光変換型の蛍光体である酸素空孔を有する酸化亜鉛の粉末とを用いる。樹脂粉末と蛍光体粉末を所定量配合し、必要に応じてトルエンなどの溶媒を添加して、樹脂粉末が溶解する程度に加熱したロールミルを用いて混合し、樹脂粉末と蛍光体粉末の混合物である波長変換層用の前駆体ペースト（以下、単に前駆体ペーストともいう）を作製する。得られた波長変換層用の前駆体ペーストを、２枚のポリエチレンテレフタレート（ＰＥＴ）フィルム間に挟み、ロールプレス等を用いて波長変換層３となる所定厚さのシート状成形体を作製する。
【００４４】
得られたシート状成形体からポリエチレンテレフタレート（ＰＥＴ）フィルムを剥がして波長変換層３となるシートを取り出し、その少なくとも一方側の表面に、いわゆるロールツーロール法や転写法等により、所望の微細な凸凹構造を形成する。
【００４５】
得られたシートを波長変換層３として用い、透光性基板２、波長変換層３、光電変換素子４、封止層５、反射層６およびカバー層７を順次図１のように重ね合わせ、得られた積層体を１００〜２００℃の温度にて加熱圧着するとともに積層体中の樹脂成分を硬化させることにより、太陽電池素子を作製することができる。なお、重ね合わせた各層間の密着性を向上するため、真空状態で加熱圧着して樹脂成分の硬化処理を行うことが好ましい。また、波長変換層３と、それに隣接する層との界面に、例えばポリエチレンナフタレート樹脂等の透明性を有する樹脂層を配置しても良い。
【００４６】
透光性基板２としては、たとえば強化ガラスを用いる。封止層５としては、たとえばエチレン−酢酸ビニル共重合体フィルムを用い、その一方の主面にＤＣスパッタリング法により例えばアルミニウム／チタンの積層構造を有する反射層６を形成してもよい。光電変換素子４としては、たとえば光起電力を有する多結晶シリコン基材の両主面に電極として、それぞれ金属Ａｇ粉末を含有する電極ペーストを用いて印刷し、焼き付けたものを用いる。カバー層７としては、ポリエステル、ポリビニルブチラール、もしくはテフロン（登録商標）樹脂のシートを用いる。
【００４７】
なお、本実施形態では、樹脂粉末と蛍光体粉末との混合物である波長変換層用の前駆体ペーストを、２枚のポリエチレンテレフタレート（ＰＥＴ）フィルム間に挟み、ロールプレス等を用いて波長変換層３となる所定厚さのシート状成形体を予め作製したが、樹脂粉末と蛍光体粉末の混合物を透光性基板２の一方の主面上に塗布することで波長変換層３を形成し、その表面に微細な凸凹構造を形成して、図１のような太陽電池を作製しても構わない。
【００４８】
以上、本発明の実施形態の一例である太陽電池および太陽電池モジュールについて説明したが、本発明はこれらの実施形態に限定されるものではなく、本発明を逸脱しない範囲
で種々変更したものについても適用することができる。
【符号の説明】
【００４９】
１、１０１・・・・・太陽光
２、１０２・・・・・透光性基板
３・・・・・・・・・波長変換層
４、１０４・・・・・光電変換素子
５、１０３、１０５・封止層
６・・・・・・・・・反射層
７、１０７・・・・・カバー層
８、８’・・・・・・微細な凹凸
９・・・・・・・・・インターコネクタ
【図１】
2014123662.tif 000003
【図２】
2014123662.tif 000004
【図３】
2014123662.tif 000005
【図４】
2014123662.tif 000006